(57)【要約】【課題】保管時、梯子長さを短くすることができ、使用時、容易に梯子長さを長くすることができ、しかも安全な架設状態で設置することができる構造が簡単な梯子を提供する。【解決手段】梯子つなぎが中空体とされ、該中空体内に上下段タラップの縦枠部材の端部のいずれか一方が固着され、他方が抜き出し可能に挿入され、かつ弾性体が梯子つなぎの中空部を通して、上下段タラップの左右の縦枠部材に跨って取り付けられていると共に、上段タラップに上段タラップの縦枠部材と所定の角度をなす、床押さえ部材が設けられている折り畳み式梯子。【選択図】        図１
2004250885.tif 000002
【特許請求の範囲】
【請求項１】
斜めに設置する折り畳み式梯子であって、
該折り畳み式梯子は、上段タラップと、該上段タラップの下方に配置される下段タラップと、上下段タラップの縦枠部材の端部同士を左右でそれぞれ繋ぐ２つの梯子つなぎと、長さ方向に伸縮可能な弾性体を有し、
前記梯子つなぎが中空体とされ、該中空体内に上下段タラップの縦枠部材の端部のいずれか一方が固着され、他方が抜き出し可能に挿入され、
かつ前記弾性体が前記梯子つなぎの中空部を通して、上下段タラップの左右の縦枠部材に跨って取り付けられていると共に、前記上段タラップに前記上段タラップの縦枠部材と所定の角度をなす、床押さえ部材が設けられていることを特徴とする折り畳み式梯子。
【請求項２】
前記弾性体が紐状ゴムとされ、前記梯子つなぎ内の中空部、前記梯子つなぎの中空部内で向かい合っている端面側の縦枠部材の端部内、および前記端面に隣接する上下段タラップの横部材内にそれぞれ挿入され、閉ループを構成していることを特徴とする請求項１に記載の折り畳み式梯子。
【請求項３】
前記梯子つなぎが断面筒状であることを特徴とする請求項１または２に記載の折り畳み式梯子。
【発明の詳細な説明】
【０００１】
【発明の属する技術分野】
本発明は、斜めの架設状態で、頭部が上の床面より上に突き出して設置する折り畳み式梯子に関する。
【０００２】
【従来の技術】
例えば、エレベータのピット内に入って点検や補修等の作業を行うに際し、作業者は、エレベータにピット用点検梯子が設置されている場合には、これを使用して安全にピット内の床面に降りることができる（例えば、特許文献１）。
【０００３】
【特許文献１】
実開平２−５２８７７号公報
【０００４】
【発明が解決しようとする課題】
しかし、エレベータにピット用点検梯子が設置されていない場合、点検や補修等の作業を行う作業者が、図８に示すように汎用梯子１００を使用してピット内に通じる上の床面８０から汎用梯子１００に降りようとすると安全上問題があった。
【０００５】
すなわち、上述した汎用梯子１００は、その支柱（縦枠部材ともいう）の途中で上の床面８０の右端と接触しているため、作業者が汎用梯子１００の梯子頭部を把持し、後ろ向きになって汎用梯子１００に乗り移ろうとした際に、縦枠部材の下端が下の床面９０から浮き上がって作業者がバランスを崩し、ピット内１１０に転落する危険があった。
【０００６】
なお、汎用梯子１００は、梯子枠が上の床面８０の端と下の床面９０で支持された斜めの架設状態で梯子頭部を上の床面８０より上に突き出して設置され、使用される。
ここで、図８において、符号１１１は、昇降するかごを示し、符号１１２はかご非常止め装置、符号１１３はかご用緩衝器、符号１１４は各種昇降用装置をそれぞれ示す。点検や補修等の作業を行う作業者は、普通、エレベータ扉１１５を閉じて、かご非常止め装置１１２やかご用緩衝器１１３、各種昇降用装置１１４等を点検する。このため、汎用梯子１００を使用した場合、梯子を折り畳むことができず、汎用梯子１００をピット内１１０に収納するのに苦労していた。
【０００７】
一方、実開平２−５２８７７号公報に開示されているような、従来のエレベータに設置されているピット用点検梯子は、構造が複雑で設置コストが高くなる欠点があった。
ところで、高層階のマンション等に居住している居住者は、各住居のドア等から避難することができない場合、図９に示すように、避難孔の蓋１１７を開き、上、下の床面８０、９０間に梯子頭部を上の床面８０より上に突き出した状態で斜めに設置した後、避難孔１１６を通って下のベランダに避難することになる。
この場合でも、上述した汎用梯子１００は、架設状態での安定性が悪く、避難者が汎用梯子１００に乗り移ろうとしたときに縦枠部材の下端が下の床面９０から浮き上がって避難者が下の床面９０に転落する危険があるうえに、長さが長くてベランダに収納するのが難しいという欠点もあり、各住居毎に用意されていないのが実状である。
【０００８】
本発明は、上記従来技術の問題点を解消することにあり、保管時、梯子長さを短くすることができ、使用時、容易に梯子長さを長くすることができ、しかも安全な架設状態で設置することができる構造が簡単な梯子を提供することを目的とする。
【０００９】
【課題を解決するための手段】
本発明は、以下の通りである。
１．  斜めに設置する折り畳み式梯子であって、該折り畳み式梯子は、上段タラップと、該上段タラップの下方に配置される下段タラップと、上下段タラップの縦枠部材の端部同士を左右でそれぞれ繋ぐ２つの梯子つなぎと、長さ方向に伸縮可能な弾性体を有し、前記梯子つなぎが中空体とされ、該中空体内に上下段タラップの縦枠部材の端部のいずれか一方が固着され、他方が抜き出し可能に挿入され、かつ前記弾性体が前記梯子つなぎの中空部を通して、上下段タラップの左右の縦枠部材に跨って取り付けられていると共に、前記上段タラップに前記上段タラップの縦枠部材と所定の角度をなす、床押さえ部材が設けられていることを特徴とする折り畳み式梯子。
２．  前記弾性体が紐状ゴムとされ、前記梯子つなぎ内の中空部、前記梯子つなぎの中空部内で向かい合っている端面側の縦枠部材の端部内、および前記端面に隣接する上下段タラップの横部材内にそれぞれ挿入され、閉ループを構成していることを特徴とする上記１．に記載の折り畳み式梯子。
３．  前記梯子つなぎが断面筒状であることを特徴とする上記１．または２．に記載の折り畳み式梯子。
【００１０】
【発明の実施の形態】
以下、図１〜図４を用いて、本発明の実施の形態に係る折り畳み式梯子について詳細に説明する。
図１（ａ）は、本発明の実施の形態に係る折り畳み式梯子１（以下、単に梯子１という）の接続状態での全体を示す正面図であり、図１（ｂ）は、その接続構造の一例を示す断面図である。図２（ａ）、（ｂ）は、好適な床押さえ６の構造を上段タラップの左右の縦枠部材２１と共に例示する側面図、同図１のＸ−Ｘ断面図である。また、図３は、図１の下段タラップの縦枠部材３１の横断面を示すＹ−Ｙ断面図である。図３には、踏み部材３２の取り付け状態も示した。
【００１１】
なお、図４は、床押さえ６の位置を調整する前の、折り畳み状態の梯子１を示す。
本発明の実施の形態に係る梯子１は、図１（ａ）、（ｂ）に示すように、上段タラップ２と、上段タラップ２の下方に配置される下段タラップ３と、長さ方向に伸縮可能な弾性体４と、上下段タラップ２、３同士を繋ぐ２つの梯子つなぎ５とを有し、上下段タラップ２、３のいずれか一方の縦枠部材に固着された梯子つなぎ５内に他方の縦枠部材の端部が引き抜き可能に挿入され、弾性体４の復元力により、梯子つなぎ５内に収められている。
【００１２】
ここで、上段タラップ２は、左右の縦枠部材２１に取り付けられた横枠部材２２、横部材２３、２４および上下方向に移動可能な床押さえ部材６１を備えている。
この場合、左右の縦枠部材２１に取り付けた横部材２３、２４間の間隔が、横部材２４同士の間隔より広くされている。横部材２３、２４の間は、梯子１を設置する際に、図１（ａ）で下方に位置している床押さえ部材６１を上昇させて、係止具により床押さえ部材６１を係止する箇所である（梯子１の架設状態を示す図５、６参照）。そして、横部材２３は、上の床面８より上に突き出して設置され、梯子１の架設状態で把持部材として使用されるのが普通である。
【００１３】
一方、下段タラップ３は、図１（ａ）、（ｂ）に示すように、横部材３２および２つの梯子つなぎ５を備えている。その際に、上の床面８より下方に位置する横部材２４、３２は、踏み部材２４、３２としても使用される。
下段タラップ３の左右の縦枠部材３１には、踏み部材３２が複数箇所、この場合、５箇所に取り付けられている。踏み部材３２同士の間隔は、同じとされている。また、縦枠部材３１の下端部には、滑り止め部材３３として例えば板状ゴムが設けられている。この縦枠部材３１の下端面は、梯子１の架設時の傾斜角度に合わせて図４に示すように傾斜させてある。
【００１４】
θ２  は縦枠部材３１の長さ方向と縦枠部材３１の下端面のなす角である。θ２  は、普通７５°とされる。
ここで、下段タラップ３の左右の縦枠部材３１の上端部には、図１（ｂ）に示すように所定長さの中空体の梯子つなぎ５が外装され、例えば溶接により固着されている。一方、中空体の梯子つなぎ５内に上段タラップ２の縦枠部材２１の下端部が挿入されている。なお、梯子つなぎ５の断面は、縦枠部材２１の下端部を梯子つなぎ５内にスムーズに出し入れでき、かつ縦枠部材３１の上端部に密着させて、溶接等により固着できる寸法に成形されている。その際に、梯子つなぎ５は、断面で見て筒状とするのが強度の点で望ましい。
【００１５】
また、弾性体４が梯子つなぎ５の中空部を通して、上下段タラップの左右の縦枠部材２１、３１に跨って取り付けられている。弾性体４としては、例えば、紐状ゴムを用い、閉ループを構成するようにして取り付けるのが、取り付けが容易であり好ましい。
紐状ゴムは、上段タラップ２の下方に下段タラップ３を配置し、左右の、縦枠部材２１下端面と縦枠部材３１上端面を突き合わせた状態で、紐状ゴムの一端を、例えば、右側の梯子つなぎ５内に挿入し、下段タラップ３の、右側の縦枠部材３１上端部内、最上段の踏み部材３２内を経て左側の縦枠部材３１上端部内にまで通し、次いで、もう一方の左側の梯子つなぎ５内に挿入し、上段タラップ２の、左側の縦枠部材２１下端部内、最下段の踏み部材２４内を経て右側の縦枠部材２１下端部内に到達させ、紐状ゴムの一端を紐状ゴムの他端に例えばタラップ繋ぎ等により結んで閉ループを構成することができる。
【００１６】
このように本発明の実施の形態に係る梯子１は、上下段タラップ２、３のいずれか一方の縦枠部材に固着された梯子つなぎ５内に他方の縦枠部材の端部が引き抜き可能に挿入され、閉ループを構成する弾性体４の復元力により梯子つなぎ５内に収められている。
従って、図１（ｂ）に示すように上段タラップ２の左右の縦枠部材２１下端と、下段タラップ３の左右の縦枠部材３１上端とを離隔した状態では元に戻ろうとする復元力が働く。このように本発明の梯子１は、上下段タラップ２、３が弾性体４を介して２つの梯子つなぎ５により、折り畳み可能に繋げられている接続構造を持つ。なお、弾性体４は、弾性体４の復元力に抗して人力により、図１（ｂ）に示すように梯子つなぎ５内から縦枠部材２１の下端部を引き出すことができるように選定されている。
【００１７】
このため、梯子１を保管する際には、弾性体４の復元力に抗して人力により梯子つなぎ５内から縦枠部材２１の下端部を引き出し、上段タラップ２と下段タラップ３とを図４に示すように折り畳むことによって、容易に梯子長さを短くすることができる。一方、梯子１を使用する際には、弾性体４の復元力に抗して人力により梯子１を図１（ｂ）に示す状態とした後、上段タラップ２の縦枠部材２１下端部を梯子つなぎ５の入口に案内し、人力を解放することによって、梯子つなぎ５内に上段タラップ２の左右の縦枠部材２１下端部を挿入し、弾性体４の復元力により梯子つなぎ５内に収めることができ、容易に上下段タラップ２、３を繋いで梯子長さを長くすることができる。
【００１８】
ところで、上段タラップ２には、上段タラップ２の縦枠部材２１と所定の角度をなす床押さえ部材６１が設けられている。
床押さえ部材６１は、図２（ａ）、（ｂ）に示すように滑り止め部材６２、上下方向位置調整筒６３および上下方向位置調整筒６３を係止する係止金具６４を有する床押さえ６とするのが好ましい。
【００１９】
床押さえ部材６１は、板状部材を用い平面でみてコの字状に成形し、かつ屈曲させ、床押さえ部材６１を押さえ力に対抗できるように補強する補強板６５を持つように形成するのが好ましい。
また床押さえ部材６１には、滑り止め部材６２として板状ゴム等を例えば接着剤により取り付けるようにするのも望ましい。
上段タラップ２の左右の縦枠部材２１に上下方向に移動自在に装着された上下方向位置調整筒６３には、補強板６５を例えば溶接により固着し、補強板６５を介して床押さえ部材６１を係止金具６４により係止するようにするのが構造を簡単にすることができ、容易に床押さえ部材６１を図５、図６に示すような所定位置で固定することができるので好ましい。係止金具６４としては、例えば蝶ねじと蝶ナットを用いることができる。
【００２０】
なお、上下方向位置調整筒６３には、床押さえ部材６１が床押さえ部材６１の押さえ面と縦枠部材２１のなす角θ１  が所定となるように取り付けられている。θ１  は、普通θ２  と同じ角度とされる。
このように滑り止め部材６２が床押さえ部材６１に取り付けられている床押さえ６とすることが好ましい。この理由は、例えば、図５、図６に示すように梯子１の頭部を上の床面８より上に突き出し、床押さえ部材６１を上の床面８と接触させ、梯子枠を上の床面８の端と下の床面９で支持させ、斜めに設置した架設状態で使用するに際し、床押さえ部材６１として、鋼板等の金属材料を用いた場合でも床押さえ部材６１が上の床面８と直接接触することなく、上の床面８に板状ゴム等の滑り止め部材６２が接触するので、上の床面８に疵を付けずに、上の床面８との間の滑りを抑制して、上の床面８を押さえ付けることができるようになるからである。
【００２１】
特に、エレベータのピット内の点検、補修等を行うに当たり、上の床面８が大理石のように疵が付きやすく、滑りやすいときに有効である。図５において、符号１１は、昇降するかごを示し、符号１２はかご非常止め装置、符号１３はかご用緩衝器、符号１４は各種昇降用装置をそれぞれ示す。
このような梯子１は、図５、図６に示したように、作業者が上の床面８から上段タラップ２に乗り移るときに、床押さえ部材６１により上の床面８を押さえ付けることができるので、梯子の下端が下の床面９から浮き上がってしまうことを防止できる、安全な架設状態で設置されている。
【００２２】
その際、梯子１は、梯子頭部を上の床面８より上に突き出し、床押さえ部材６１を上の床面８と接触させ、梯子枠が上の床面８の端と下の床面９で支持された、斜めの架設状態とされ、頭部が上の床面８より上に突き出しているので、作業者が梯子１の頭部を把持し、後ろ向きになって梯子１に無理のない姿勢で乗り移ることができ、梯子１を使用して安全に下の床面９に降りることができる。
【００２３】
また、梯子１は、斜めに設置した架設状態で上下段タラップ２、３の縦枠部材２１下端と縦枠部材３１上端とが梯子つなぎ５内で当接しているために、人が上の床面８から上段タラップ２に乗り移った場合に、その人の体重を含めた荷重を下段タラップ３の縦枠部材３１に伝えることができ、縦枠部材３１の下端部には、滑り止め部材３３として例えば板状ゴムが設けられているから、縦枠部材３１の下端面と下の床面９の間での滑りを防止できる。この縦枠部材３１の下端面は、梯子１の架設時の傾斜角度７５°に合わせて図４に示すようにθ２  だけ傾斜させてある。
【００２４】
また、上述した梯子１によれば、作業者がエレベータ扉１５を閉めてピット１０内で点検や補修等の作業を行うに際し、梯子１を折り畳むことによってピット１０内に収納することができる。
図７には、梯子１を避難用梯子として使用する際の架設状態を示す。図７で、符号１６は、各住居のベランダに設けた避難孔を示し、符号１７は避難孔１６の蓋を示す。この場合でも、梯子１は、梯子頭部を上の床面８より上に突き出し、床押さえ部材６１を上の床面８と接触させ、梯子枠が上の床面８の端である避難孔１６と下の床面９で支持された、斜めの架設状態で使用される。
【００２５】
避難用梯子として梯子１を使用する際には、容易に梯子長さを長くすることができ、しかも安全な架設状態で設置することができる。また、保管する時に梯子１は、折り畳み式であるので梯子長さを短くすることができ、マンション等のベランダに収納するのに便利である。
本発明の梯子１の材質は、特定の材質に限定しないが、軽量化を図るためにアルミニウム合金，木材，軽量型鋼等を使用するのが望ましい。縦枠部材２１、３１、横枠部材２２、横部材２３、２４および３２としては、アルミニウム合金が寿命と軽量化の点で有利である。床押さえ部材６１、上下方向位置調整筒６３補強板６５は、鋼板を加工するのが強度の点で有利である。
【００２６】
但し、上下段タラップ２、３を繋いだときの梯子１の全長は、３０００ｍｍ以下とするのが強度と使用上の点で好ましい。
【００２７】
【実施例】
図１に示すような折り畳み式梯子１を作製した。
作製した梯子１は、接続した状態での全長が２７７５ｍｍとなるように上段タラップ２と下段タラップ３の長さをそれぞれ１４３５ｍｍ、１３４０ｍｍとした。なお、上段タラップ２と下段タラップ３の幅は、それぞれ３１０ｍｍとし、上段タラップ２の左右の縦枠部材２１には、図１（ａ）に示すように横枠部材２２、横部材２３、２４をリベットで取り付け、下段タラップ３の左右の縦枠部材３１には、横部材３２をリベットで取り付けた。梯子１に設けた横部材２３とその下方の横部材２４との間隔は５５５ｍｍとした。
【００２８】
縦枠部材２１、３１は、横断面寸法を同じとし、板厚が２．５ｍｍのアルミニウム合金板材を成形して用いた。また、横枠部材２２、横部材２３、２４および３２は、板厚が２．５ｍｍのアルミニウム合金板材を成形して用いた。
一方、梯子つなぎ５は、長さ２６０ｍｍの筒状とし、２つ用意した。梯子つなぎ５は、それぞれ下段タラップ３の縦枠部材３１に長さ１００ｍｍだけ外装して溶接により固着した。この梯子つなぎ５は、板厚が２．５ｍｍのアルミニウム合金板材を成形して用いた。また、弾性体４としては、る直径が３０ｍｍの紐状ゴムを用意し、部材内に挿入して図１（ｂ）に示すようにタラップ繋ぎにより結んで閉ループを構成した。
【００２９】
上段タラップ２には、床押さえ６として、床押さえ部材６１を設けた。床押さえ部材６１は、板厚２．３ｍｍの鋼板（ＳＰＣＣ）を加工して製作した。
床押さえ部材６１の奥行きは、２５０ｍｍ（図２（ｂ）で上下方向長さ）、床押さえ部材６１の幅は、２７６ｍｍとした。滑り止め部材６２としては、板厚２ｍｍの板状ゴムを用いた。上下方向位置調整筒６３としては、板厚２．３ｍｍの鋼板（ＳＰＣＣ）を加工して用い、上下方向位置調整筒６３を係止する係止金具６４としては、蝶ねじと蝶ナットを用いた。適宜な寸法の補強板６５を床押さえ部材６１に設けた。縦枠部材３１の下端部には、板厚２ｍｍの板状ゴムを取り付けた。床押さえ部材６１の押さえ面と縦枠部材２１のなす角θ１  および縦枠部材３１の長さ方向と縦枠部材３１の下端面のなす角θ２  は、７５°とした。
【００３０】
この実施例の梯子１をエレベータのピット用梯子として使用したところ、従来より安全に人が乗り移ることができ、人が安全に上の床面から下の床面に降りることができた。
この実施例の梯子１は、エレベータのピット用梯子に限定されず、特に、マンション等のベランダに収納する避難孔用梯子として好適である。
【００３１】
【発明の効果】
本発明の折り畳み式梯子によれば、構造を簡単にすることができるうえに、保管時、梯子長さを短くすることができ、使用時、容易に梯子長さを長くすることができ、しかも安全な架設状態で設置することができる。この結果、人が安全に上の床面から下の床面に降りることができる。
【図面の簡単な説明】
【図１】（ａ）は、本発明の実施の形態に係る梯子１の全体を示す正面図、（ｂ）は、梯子１の接続構造を示す断面図である。
【図２】図２（ａ）、（ｂ）は、床押さえ６の構造を例示する側面図、同図１のＸ−Ｘ断面図である。
【図３】図１の下段タラップの縦枠部材の横断面を示すＹ−Ｙ断面図である。
【図４】図１に示した梯子１を折り畳んだときの斜視図である。
【図５】本発明の実施の形態に係る梯子１の使用状態を示す概略図である。
【図６】図５の要部を示す斜視図である。
【図７】本発明の実施の形態に係る梯子１の他の使用状態を示す概略図である。
【図８】従来の汎用梯子の使用状態を示す概略図である。
【図９】従来の汎用梯子の他の使用状態を示す概略図である。
【符号の説明】
１  折り畳み式梯子
２  上段タラップ
３  下段タラップ
４  弾性体（紐状ゴム）
５  梯子つなぎ
６  床押さえ
２１、３１  縦枠部材
２２  横枠部材
２３、２４、３２  横部材
６１  床押さえ部材
６２  滑り止め部材（板状ゴム）
６３  上下方向位置調整筒
６４  係止金具（蝶ねじ）
６５  補強板
３３  滑り止め部材（板状ゴム）
θ１    床押さえ部材６１の押さえ面と縦枠部材２１のなす角
θ２    縦枠部材３１の長さ方向と縦枠部材３１の下端面のなす角
８、９  上、下の床面
１０  ピット
１１  かご
１２  かご非常止め装置
１３  かご用緩衝器
１４  各種昇降用装置
１５  エレベータ扉
１６  ベランダに設けた避難孔
１７  避難孔の蓋
【図１】
2004250885.tif 000003
【図２】
2004250885.tif 000004
【図３】
2004250885.tif 000005
【図４】
2004250885.tif 000006
【図５】
2004250885.tif 000007
【図６】
2004250885.tif 000008
【図７】
2004250885.tif 000009
【図８】
2004250885.tif 000010
【図９】
2004250885.tif 000011